(57)【特許請求の範囲】
【請求項１】
画像処理装置と、この画像処理装置から伝送されたイメージデータをレシート用紙に印字する端末装置と、を備えたデータ処理装置であって、
前記画像処理装置は、
イメージデータを記憶する記憶手段と、
このイメージデータを所定サイズのレシート用紙に印字できるように編集する編集手段と、
この編集されたイメージデータを各種取引内容に対応して有効期限を付して他装置へ伝送する伝送手段と、を具備し、
前記端末装置は、
前記画像処理装置から各種取引内容に対応して有効期限を付して伝送されてきたイメージデータを受信する受信手段と、
この受信手段により受信された各種取引内容に対応して有効期限が付されたイメージデータを当該有効期限に応じて記憶する記憶手段と、
レシート用紙に入力データを印字する印字手段と、
この印字手段により入力データを印字する場合に、取引内容がストアカードに基づくものか否かを判定し、前記記憶手段に記憶されたイメージデータをその判定結果に応じて前記印字手段により前記入力データと共に印字させる制御手段と、
を具備したことを特徴とするデータ処理装置。
【請求項２】
画像処理装置と、この画像処理装置から伝送されたイメージデータを蓄積する画像蓄積装置と、この画像蓄積装置から伝送されたイメージデータをレシート用紙に印字する端末装置と、を備えたデータ処理装置であって、
前記画像処理装置は、
イメージデータを記憶する記憶手段と、
このイメージデータを所定サイズのレシート用紙に印字できるように編集する編集手段と、
この編集されたイメージデータを各種取引内容に対応して有効期限を付して他装置へ伝送する伝送手段と、を具備し、
前記蓄積装置は、
前記画像処理装置から各種取引内容に対応して有効期限を付して伝送されてきたイメージデータを受信する受信手段と、
この受信手段により受信された各種取引内容に対応して有効期限が付されたイメージデータを前記端末装置毎に蓄積する蓄積手段と、
前記端末装置から伝送されるイメージデータの送信要求に応じて前記蓄積手段に蓄積された当該端末装置の各種取引内容に対応して有効期限が付されたイメージデータを当該端末装置に伝送する伝送手段と、を具備し、
前記端末装置は、
前記画像蓄積装置から伝送されてきた各種取引内容に対応して有効期限が付されたイメージデータを受信する受信手段と、
この受信手段により受信された各種取引内容に対応して有効期限が付されたイメージデータを当該有効期限に応じて記憶する記憶手段と、
レシート用紙に入力データを印字する印字手段と、
この印字手段により入力データを印字する場合に、取引内容がストアカードに基づくものか否かを判定し、前記記憶手段に記憶されたイメージデータをその判定結果に応じて前記印字手段により前記入力データと共に印字させる制御手段と、
を具備したことを特徴とするデータ処理装置。
【請求項３】
前記端末装置において、
前記記憶手段は、時間帯に応じたイメージデータを記憶し、
前記制御手段は、この印字手段により入力データを印字する場合に、前記記憶手段に現在時刻に対応した時間帯で記憶されたイメージデータと共に印字させるように制御することを特徴とする請求項１又は２に記載のデータ処理装置。
【請求項４】
前記端末装置において、
前記記憶手段は、客層に応じたイメージデータを記憶し、
前記印字手段は、取引に関する取引データを所定レシート用紙に印字し、
前記制御手段は、この印字手段により取引データを印字する場合に、前記記憶手段に当該取引の客層に対応した客層で記憶されたイメージデータと共に印字させるように制御することを特徴とする請求項１又は２に記載のデータ処理装置。
【請求項５】
前記端末装置において、
前記記憶手段は、曜日に応じたイメージデータを記憶し、
前記制御手段は、この印字手段により入力データを印字する場合に、前記記憶手段に現在の曜日に対応した曜日で記憶されたイメージデータと共に印字させるように制御することを特徴とする請求項１又は２に記載のデータ処理装置。
【請求項６】
前記端末装置において、
前記記憶手段は、商品属性に応じたイメージデータを記憶し、
前記印字手段は、商品に関する取引データを所定レシート用紙に印字し、
前記制御手段は、この印字手段により商品に関する取引データを印字する場合に、前記記憶手段に当該商品に対応した商品属性で記憶されたイメージデータと共に印字させるように制御することを特徴とする請求項１又は２に記載のデータ処理装置。
【発明の詳細な説明】
【０００１】
【発明の属する技術分野】
本発明は、データ処理装置に係り、詳細には、他装置から伝送されてきたイメージデータをレシートに印字するデータ処理装置に関する。
【０００２】
【従来の技術】
ＥＣＲ（電子式キャッシュレジスタ）およびＰＯＳ（Point Of Scales System）端末装置は、入力された売上データを出力し、その売上データを累計（登録）し、登録された売上金額や売上個数、売上回数等を出力する点検、精算を行う装置であり、また、百貨店、スーパーマーケット、コンビニエンスストアなどの売り場に設置し、商品管理、顧客管理、売上管理等に利用するデータを即時に収集する端末装置である。
【０００３】
これらの装置は、登録した商品の売上金額や数量、値引き額等をレシート用紙に印字すると共に、同様の登録内容をジャーナル用紙にも印字して営業管理に利用するため、レシート用紙及びジャーナル用紙に印字する印字装置を内蔵しており、その印字装置としては、例えば、マトリクス状の発熱素子をライン状に配列したラインヘッドを備えたサーマルプリンタが多く利用されており、取引単位で入力される商品の売上金額や数量、値引き額等の印字データに基づいてレシート用紙及びジャーナル用紙の印字対象領域に対して印字が実行されている。
【０００４】
また、レシート用紙には、上記取引単位で入力される商品の売上金額や数量、値引き額等の印字データ以外に、その店のデザインマークやサービスメッセージを印字させる場合や、レシート用紙として、店のデザインマーク等が予め背景に印刷されたものが利用される場合があり、販売促進や店のピーアール等に寄与している。
【０００５】
また、図３３に従来のＥＣＲ端末装置１００にイメージスキャナ２００を接続した場合を示す、この図３３に示すＥＣＲ端末装置１００の場合は、予め用意した例えば、サービス内容をレタリング文字でデザインしたポップ原紙等をイメージスキャナ２００で読み取ってレシート用紙上に印刷可能な合成画像を形成する機能を付加したものである。
【０００６】
【発明が解決しようとする課題】
しかしながら、このような従来のＥＣＲやＰＯＳ端末装置等に内蔵されるサーマルプリンタでは、売上データ以外の店のデザインマークやサービスメッセージ等の画一的なイメージデータがレシート用紙に印刷されることはあったが、売上データの後方にグラフィックデータにより取引状況に応じた、例えば、客層（年齢層や性別等）に応じた広告情報、優待券あるいはクーポン券を印刷する印刷機能を付加付加することができなかった。
【０００７】
すなわち、従来のＥＣＲやＰＯＳシステム等に内蔵されるサーマルプリンタでは、印字スピードやグラフィックデータの印字品質の問題から、グラフィックデータにより客への広告情報、優待券あるいはクーポン券を印刷する印刷機能は付加されていなかった。
【０００８】
また、図３３に示したＥＣＲ端末装置１００にイメージスキャナ２００を接続して、予め用意した例えば、サービス内容をレタリング文字でデザインしたポップ原紙等をイメージスキャナ２００で読み取ってレシート用紙上に印刷可能な合成画像を形成する機能を付加したものの場合は、ＥＣＲ端末装置１００が内蔵するメモリの容量が充分でないため、そのメモリには多くのイメージデータを格納することができず、ユーザーの使用形態に応じたイメージ印刷の多様化の要望に充分応じることができなかった。さらに、このようにイメージスキャナ２００からＥＣＲ端末装置１００にイメージデータを読み込む場合は、そのイメージデータを読み込む際にオペレータによる手作業が多くなり、オペレータの作業効率を低下させていた。
【０００９】
本発明の課題は、各種イメージデータを合成する画像処理装置をＬＡＮ等の通信網によりサーバーとともに複数のＰＯＳ端末装置と接続して、各ＰＯＳ端末装置において取引状況に応じた各種イメージデータのレシートへの印刷を容易にするとともに、イメージデータの合成機能を複数のＰＯＳ端末装置で共有して、システムコストを低減するとともに、各ＰＯＳ端末装置におけるオペレータの作業負担を軽減するデータ処理装置を提供することである。
【００１６】
【課題を解決するための手段】
請求項１記載の発明は、画像処理装置と、この画像処理装置から伝送されたイメージデータをレシート用紙に印字する端末装置と、を備えたデータ処理装置であって、前記画像処理装置は、イメージデータを記憶する記憶手段と、このイメージデータを所定サイズのレシート用紙に印字できるように編集する編集手段と、この編集されたイメージデータを各種取引内容に対応して有効期限を付して他装置へ伝送する伝送手段と、を具備し、前記端末装置は、前記画像処理装置から各種取引内容に対応して有効期限を付して伝送されてきたイメージデータを受信する受信手段と、この受信手段により受信された各種取引内容に対応して有効期限が付されたイメージデータを当該有効期限に応じて記憶する記憶手段と、レシート用紙に入力データを印字する印字手段と、この印字手段により入力データを印字する場合に、取引内容がストアカードに基づくものか否かを判定し、前記記憶手段に記憶されたイメージデータをその判定結果に応じて前記印字手段により前記入力データと共に印字させる制御手段と、を具備したことを特徴としている。
【００１８】
したがって、画像処理装置で作成されたイメージデータを複数の端末装置で共有でき、また、画像処理装置では端末装置毎にイメージデータを作成して各端末装置に対して伝送することができ、また、端末装置では必要なイメージデータだけを記憶して入力データの印字の際に利用することができる。その結果、例えば、ＰＯＳシステムにおいて複数のＰＯＳ端末装置が個々にレシートに印字するＰＯＰイメージを作成する手間を省略することができ、オペレータの作業負担を低減することができる。また、前記記憶手段では、取引種別に応じたイメージデータを記憶し、前記印字手段では、取引に関する取引データを所定レシート用紙に印字し、前記制御手段では、この印字手段により取引データを印字する場合に、前記記憶手段に当該取引データに対応した取引種別で記憶されたイメージデータと共に印字させるように制御することにより、画像処理装置あるいは蓄積装置から取引種別に応じたイメージデータを受信して記憶し、この取引種別に応じたイメージデータを入力データと共にレシート用紙に印字することができ、端末装置において取引種別に応じたイメージデータを作成する手間を省略することができる。
【００１９】
請求項２記載の発明は、画像処理装置と、この画像処理装置から伝送されたイメージデータを蓄積する画像蓄積装置と、この画像蓄積装置から伝送されたイメージデータをレシート用紙に印字する端末装置と、を備えたデータ処理装置であって、前記画像処理装置は、イメージデータを記憶する記憶手段と、このイメージデータを所定サイズのレシート用紙に印字できるように編集する編集手段と、この編集されたイメージデータを各種取引内容に対応して有効期限を付して他装置へ伝送する伝送手段と、を具備し、前記蓄積装置は、前記画像処理装置から各種取引内容に対応して有効期限を付して伝送されてきたイメージデータを受信する受信手段と、この受信手段により受信された各種取引内容に対応して有効期限が付されたイメージデータを前記端末装置毎に蓄積する蓄積手段と、前記端末装置から伝送されるイメージデータの送信要求に応じて前記蓄積手段に蓄積された当該端末装置の各種取引内容に対応して有効期限が付されたイメージデータを当該端末装置に伝送する伝送手段と、を具備し、前記端末装置は、前記画像蓄積装置から伝送されてきた各種取引内容に対応して有効期限が付されたイメージデータを受信する受信手段と、この受信手段により受信された各種取引内容に対応して有効期限が付されたイメージデータを当該有効期限に応じて記憶する記憶手段と、レシート用紙に入力データを印字する印字手段と、この印字手段により入力データを印字する場合に、取引内容がストアカードに基づくものか否かを判定し、前記記憶手段に記憶されたイメージデータをその判定結果に応じて前記印字手段により前記入力データと共に印字させる制御手段と、を具備したことを特徴としている。
【００２１】
したがって、画像処理装置で作成されたイメージデータを蓄積装置に蓄積して複数の端末装置で共有でき、また、画像処理装置では端末装置毎にイメージデータを作成して蓄積装置を介して各端末装置に対して伝送することができ、また、端末装置では必要なイメージデータだけを蓄積装置から受信して記憶して入力データの印字の際に利用することができる。その結果、例えば、ＰＯＳシステムにおいて通信網を介して接続された複数のＰＯＳ端末装置が、ＰＯＰイメージデータを記憶するメモリ容量を低減してシステムコストを低減できるとともに、個々にレシートに印字するＰＯＰイメージを作成する手間を省略することができ、ＰＯＳ端末装置におけるオペレータの作業負担を低減することができる。また、前記端末装置において、前記記憶手段では、取引種別に応じたイメージデータを記憶し、前記印字手段では、取引に関する取引データを所定レシート用紙に印字し、前記制御手段では、この印字手段により取引データを印字する場合に、前記記憶手段に当該取引データに対応した取引種別で記憶されたイメージデータと共に印字させるように制御することにより、画像処理装置あるいは蓄積装置から取引種別に応じたイメージデータを受信して記憶し、この取引種別に応じたイメージデータを入力データと共にレシート用紙に印字することができ、端末装置において取引種別に応じたイメージデータを作成する手間を省略することができる。
【００２４】
また、請求項３に記載する発明のように、請求項１又は２に記載のデータ処理装置の前記端末装置において、前記記憶手段は、時間帯に応じたイメージデータを記憶し、前記制御手段は、この印字手段により入力データを印字する場合に、前記記憶手段に現在時刻に対応した時間帯で記憶されたイメージデータと共に印字させるように制御することが有効である。
【００２５】
この請求項３記載の発明のデータ処理装置によれば、前記端末装置において、前記記憶手段では、時間帯に応じたイメージデータを記憶し、前記制御手段では、この印字手段により入力データを印字する場合に、前記記憶手段に現在時刻に対応した時間帯で記憶されたイメージデータと共に印字させるように制御することにより、画像処理装置あるいは蓄積装置から時間帯に応じたイメージデータを受信して記憶し、この時間帯に応じたイメージデータを入力データと共にレシート用紙に印字することができ、端末装置において時間帯に応じたイメージデータを作成する手間を省略することができる。
【００２６】
また、請求項４に記載する発明のように、請求項１又は２に記載のデータ処理装置の前記端末装置において、前記記憶手段は、客層に応じたイメージデータを記憶し、前記印字手段は、取引に関する取引データを所定レシート用紙に印字し、前記制御手段は、この印字手段により取引データを印字する場合に、前記記憶手段に当該取引の客層に対応した客層で記憶されたイメージデータと共に印字させるように制御することが有効である。
【００２７】
この請求項４記載の発明のデータ処理装置によれば、前記端末装置において、前記記憶手段では、客層に応じたイメージデータを記憶し、前記印字手段では、取引に関する取引データを所定レシート用紙に印字し、前記制御手段では、この印字手段により取引データを印字する場合に、前記記憶手段に当該取引の客層に対応した客層で記憶されたイメージデータと共に印字させるように制御することにより、画像処理装置あるいは蓄積装置から客層に応じたイメージデータを受信して記憶し、この客層に応じたイメージデータを入力データと共にレシート用紙に印字することができ、端末装置において客層に応じたイメージデータを作成する手間を省略することができる。
【００２８】
また、請求項５に記載する発明のように、請求項１又は２に記載のデータ処理装置の前記端末装置において、前記記憶手段は、曜日に応じたイメージデータを記憶し、前記制御手段は、この印字手段により入力データを印字する場合に、前記記憶手段に現在の曜日に対応した曜日で記憶されたイメージデータと共に印字させるように制御することが有効である。
【００２９】
この請求項５記載の発明のデータ処理装置によれば、前記端末装置において、前記記憶手段では、曜日に応じたイメージデータを記憶し、前記制御手段では、この印字手段により入力データを印字する場合に、前記記憶手段に現在の曜日に対応した曜日で記憶されたイメージデータと共に印字させるように制御することにより、画像処理装置あるいは蓄積装置から曜日に応じたイメージデータを受信して記憶し、この曜日に応じたイメージデータを入力データと共にレシート用紙に印字することができ、端末装置において曜日に応じたイメージデータを作成する手間を省略することができる。
【００３０】
また、請求項６に記載する発明のように、請求項１又は２に記載のデータ処理装置の前記端末装置において、前記記憶手段は、商品属性に応じたイメージデータを記憶し、前記印字手段は、商品に関する取引データを所定レシート用紙に印字し、前記制御手段は、この印字手段により商品に関する取引データを印字する場合に、前記記憶手段に当該商品に対応した商品属性で記憶されたイメージデータと共に印字させるように制御することが有効である。
【００３１】
この請求項６記載の発明のデータ処理装置によれば、前記端末装置において、前記記憶手段では、商品属性に応じたイメージデータを記憶し、前記印字手段では、商品に関する取引データを所定レシート用紙に印字し、前記制御手段では、この印字手段により商品に関する取引データを印字する場合に、前記記憶手段に当該商品に対応した商品属性で記憶されたイメージデータと共に印字させるように制御することにより、画像処理装置あるいは蓄積装置から商品属性に応じたイメージデータを受信して記憶し、この商品属性に応じたイメージデータを入力データと共にレシート用紙に印字することができ、端末装置において商品属性に応じたイメージデータを作成する手間を省略することができる。
【００３５】
【発明の実施の形態】
以下、図を参照して本発明の実施の形態を詳細に説明する。
【００３６】
図１〜図３０は、本発明のデータ処理装置を適用したクライアント−サーバー型のＰＯＳシステムの一実施の形態を示す図である。
【００３７】
まず、構成を説明する。
【００３８】
図１は、本実施の形態のＰＯＳシステムのシステム構成を示す図である。この図１に示すＰＯＳシステムでは、レシートに印刷されるイメージデータを作成する機能を備えた画像データ処理装置１が、ＬＡＮ（Local Area Network）を介してサーバー２０及び２台のＰＯＳ端末装置３０ａ、３０ｂと接続されている。したがって、本実施の形態のＰＯＳシステムでは、一台の画像データ処理装置１をＬＡＮを介して２台のＰＯＳ端末装置３０ａ、３０ｂで共有するように構成されている。なお、ＰＯＳ端末装置３０ａ、３０ｂには、それぞれＰＯＳ端末Ｎｏ．として“ＰＯＳ１”、“ＰＯＳ２”が割り当てられるものとする。
【００３９】
図２は、画像データ処理装置１の要部構成を示すブロック図である。この図２において、画像データ処理装置１は、ＣＰＵ２、入力装置３、ＲＡＭ４、イメージリーダー５、表示装置６、印字装置７及び記憶装置８等により構成されており、各部はバス１０に接続されている。
【００４０】
ＣＰＵ（Central Processing Unit ）２は、記憶装置８内に格納された各種制御プログラムに従って、画像データ処理装置１内の各部を制御して後述するイメージ編集処理を実行して、イメージリーダー５により読み込まれた原稿イメージデータを編集して、ＰＯＳ端末装置３０ａ、３０ｂ毎にレシートに印刷する各種ＰＯＰイメージデータを作成し、この作成した各種ＰＯＰイメージデータをＬＡＮを介してサーバー２０に伝送して、ＰＯＳ端末装置３０毎に蓄積させる。このＣＰＵ２のイメージ編集処理において作成されたＰＯＰイメージデータのデータ構成としては、実際の画像イメージと、その画像の種類（イメージかキャラクタか等）と、ＰＯＳ端末装置３０ａ、３０ｂのＰＯＳ端末Ｎｏ．：ＰＯＳ１、ＰＯＳ２と、このＰＯＰイメージデータの有効期限日時が関連付けられている。ＰＯＰイメージデータの有効期限日時としては、そのＰＯＰイメージデータが利用される商品のサービス期間等の各種取引内容に対応して設定される日時に対応して設定される。
【００４１】
入力装置３は、イメージデータ編集処理に必要な各種キーとして、イメージリーダー５にセットされる原稿の読み取り範囲を設定するカーソルキー、拡大／縮小倍率を設定する数値キーや拡大／縮小を指定する指定キー、作成したイメージデータを確定する確定キー等を備え、そのキー入力操作に応じた指示信号をＣＰＵ２に出力する。また、入力装置３には、図示しないがポインティングデバイスであるマウスも備えられており、編集中のイメージデータの領域指定操作等をマウス操作により行うことができる。
【００４２】
ＲＡＭ（Random Accesss Memory ）４は、ＣＰＵ２によりイメージデータ編集処理が行われる際に処理される編集中のイメージデータ等の各種データを一時的に格納するメモリエリアを形成しており、このメモリエリアとしては、図１（ｂ）に示す読み取りデータメモリ４ａと作成データメモリ４ｂとを有する。読み取りデータメモリ４ａには、イメージリーダー５により読み取られる原稿イメージデータを一時的に記憶し、作成データメモリ４ｂには、後述するイメージデータ編集処理において処理対象として読み出されるイメージデータを一時的に記憶する。
【００４３】
イメージリーダー５は、ラインイメージセンサと原稿台にセットされた原稿の読取対象画面上を走査する原稿走査機構により構成され、その原稿台にセットされた原稿をラインイメージセンサで走査して、入力装置３から入力される指示（読み取り範囲、拡大／縮小倍率）に応じた読み取り範囲で読み取って、その読み取ったイメージデータを拡大／縮小してＣＰＵ２に伝送する。
【００４４】
表示装置６は、ＣＲＴ（Cathode Ray Tube）や液晶ディスプレイ等から構成され、上記ＣＰＵ２により実行されるイメージ編集処理中のイメージデータや入力装置３から入力される入力データ等を表示する。印字装置６は、ＣＰＵ２によりイメージデータ編集処理で作成された各種ＰＯＰイメージデータを印字する。
【００４５】
記憶装置８は、プログラムやデータ等が予め記憶されている記憶媒体９を有しており、この記憶媒体９は磁気的、光学的記録媒体、若しくは半導体メモリで構成されている。この記憶媒体９は、記憶装置８に固定的に設けたもの、若しくは着脱自在に装着するものであり、この記憶媒体９には、上記イメージデータ編集処理プログラム及び当該画像データ処理装置１に対応する各種処理プログラムで処理されたデータ等を記憶する。
【００４６】
また、この記憶媒体９に記憶するプログラム、データ等は、ＬＡＮを介して接続された他の機器から受信して記憶する構成にしてもよく、更に、ＬＡＮ等を介して接続された他の機器側に上記記憶媒体９を備えた記憶装置８を設け、この記憶媒体９に記憶されているプログラム、データを通信回線を介して使用する構成にしてもよい。
【００４７】
図３は、サーバー２０の要部構成を示すブロック図である。この図３において、サーバー２０は、ＣＰＵ２１、入力装置２２、ＲＡＭ２３、表示装置２４、印字装置２５及び記憶装置２６により構成されており、各部はバス２８に接続されている。
【００４８】
ＣＰＵ２１は、記憶装置２６内に格納された各種制御プログラムに従って、サーバー２０内の各部を制御して、上記画像データ処理装置１とＰＯＳ端末装置３０ａ、３０ｂとの間でＬＡＮを介して各種ＰＯＰイメージデータの授受及び蓄積を制御する。すなわち、ＣＰＵ２１は、上記画像データ処理装置１からＬＡＮを介して伝送される各種ＰＯＰイメージデータを、ＰＯＳ端末装置３０ａ、３０ｂ毎に識別して記憶装置２６に格納させるとともに、各ＰＯＳ端末装置３０ａ、３０ｂからＬＡＮを介して入力されるＰＯＰイメージデータの要求に応じて、その要求されたＰＯＰイメージデータを記憶装置２６から読み出して要求されたＰＯＳ端末装置３０ａ、３０ｂに伝送させる。
【００４９】
入力装置２２は、記憶装置２６内のメンテナンスや各種制御内容の修正等の各種指示を入力するためのキー郡を有し、その各種キー操作に応じた指示信号をＣＰＵ２１に出力する。ＲＡＭ２３は、ＣＰＵ２１によりイメージデータの授受及び蓄積が行われる際に処理されるイメージデータを一時的に格納するメモリエリアを形成する。
【００５０】
表示装置２４は、ＣＲＴや液晶ディスプレイ等から構成され、上記ＣＰＵ２１により実行されるイメージデータの授受及び蓄積や入力装置２２から入力される入力データ等を表示する。印字装置２５は、ＣＰＵ２１によりＰＯＳ端末装置３０ａ、３０ｂ別に蓄積されたイメージデータの管理データ等を印字する。
【００５１】
記憶装置２６は、プログラムやデータ等が予め記憶されている記憶媒体２７を有しており、この記憶媒体２７は、磁気的、光学的記録媒体、若しくは半導体メモリで構成されている。この記憶媒体２７は、記憶装置２６に固定的に設けたもの、若しくは着脱自在に装着するものであり、この記憶媒体２７には、上記イメージデータ授受処理及びイメージデータ蓄積処理に対応する各種処理プログラムや、これら処理されたデータ等を記憶する。
【００５２】
また、この記憶媒体２７に記憶するプログラム、データ等は、ＬＡＮを介して接続された他の機器から受信して記憶する構成にしてもよく、更に、ＬＡＮ等を介して接続された他の機器側に上記記憶媒体２７を備えた記憶装置２６を設け、この記憶媒体２７に記憶されているプログラム、データを通信回線を介して使用する構成にしてもよい。
【００５３】
図４（ａ）は、ＰＯＳ端末装置３０ａ、３０ｂの要部構成を示すブロック図である。この図４（ａ）において、ＰＯＳ端末装置３０ａ、３０ｂは、ＣＰＵ３１、入力装置３２、ＲＡＭ３３、ドロア３４、表示装置３５、印字装置３６及び記憶装置３７により構成されており、各部はバス３９に接続されている。
【００５４】
ＣＰＵ３１は、記憶装置３７に格納されている各種制御プログラムに従ってＲＡＭ３３との間で各種データの授受を行いながら各種動作に必要な数値を演算処理し、この演算処理に基づいてＰＯＳ端末装置３０ａ、３０ｂ内の各部を制御するための各種制御信号を出力する。また、ＣＰＵ３１は、後述するＰＯＳ端末制御処理に際して、イメージ取込処理によりサーバー２０よりＬＡＮを介して伝送される各種ＰＯＰイメージデータをＲＡＭ３３内のＰＯＰイメージファイル３３ａに格納し、イメージ消去処理によりＰＯＰイメージファイル３３ａに格納した各種ＰＯＰイメージデータを選択して消去し、登録処理によりレシートの背景にＰＯＰイメージデータを印字させ、締め処理により取引種別ＰＯＰイメージのレシートへの印字、時間帯ＰＯＰイメージのレシートへの印字、客層別ＰＯＰイメージのレシートへの印字、曜日ＰＯＰイメージのレシートへの印字、商品属性別ＰＯＰイメージのレシートへの印字等を行わせる。
【００５５】
入力装置３２は、モードキー、クラークキー、テンキー及びファンクションキー等から構成され、ユーザーのキー操作により入力される各種操作データやモードデータ等をＣＰＵ３１に出力する。
【００５６】
ＲＡＭ３３は、ＣＰＵ３１によりＰＯＳ端末制御処理が行われる際に処理される取引データやＰＯＰイメージデータ等の各種データを一時的に格納するメモリエリアを形成する。すなわち、ＲＡＭ３３は、メモリエリアとして図４（ｂ）に示すＰＯＰイメージファイル３３ａ、顧客別ファイル３３ｂ及びＰＬＵファイル３３ｃを有する。このＰＯＰイメージファイル３３ａには、各種ＰＯＰイメージデータとして、サーバー２０から取り込むＰＯＰイメージデータ、ＬＡＮを介して外部の通信端末からアクセス可能とするインターネットアドレス、ＰＯＰイメージデータに係る商品等の有効期限や記憶日付等を格納し、顧客別ファイル３３ｂには、顧客毎のデータとして、顧客の氏名、顧客Ｎｏ．や買い上げデータ等を格納し、ＰＬＵファイル３３ｃには、ＰＬＵデータとして、ＰＬＵ（Price Look Up ）Ｎｏ．、商品名、売上データ、商品属性（“１”か“０”を設定する）を格納する。
【００５７】
ドロア３４は、現金を収納し、入力装置３２において”現金／預かり金キー”等が操作された際に開放される。表示装置３５は、ＣＲＴや液晶ディスプレイ等から構成され、ＣＰＵ３１、入力装置３２及びＲＡＭ３３から入力される演算結果、各種データ、売上データ及びレシート用紙に印字する各種ＰＯＰイメージデータ等を表示する。
【００５８】
印字装置３６は、ラインサーマルプリンタ等により構成され、記憶装置３７に格納された印字制御プログラムに従って印字動作と紙送り動作を制御し、ＣＰＵ３１から入力される売上データとＲＡＭ３３内のＰＯＰイメージファイル３３ａに格納された各種ＰＯＰイメージデータがＲＡＭ３３内において合成されてから転送される印字用レシートイメージ画像データを所定の時間間隔で１ライン毎にサーマルプリンタ内の印字ヘッド部に出力し、セットされるレシート用紙に印刷する。
【００５９】
記憶装置３７は、プログラムやデータ等が予め記憶されている記憶媒体３８を有しており、この記憶媒体３８は、磁気的、光学的記録媒体、若しくは半導体メモリで構成されている。この記憶媒体３８は、記憶装置３７に固定的に設けたもの、若しくは着脱自在に装着するものであり、この記憶媒体３８には、上記ＰＯＳ端末制御処理に対応する各種処理プログラムや、これら処理されたデータ等を記憶する。
【００６０】
また、この記憶媒体３８に記憶するプログラム、データ等は、ＬＡＮを介して接続された他の機器から受信して記憶する構成にしてもよく、更に、ＬＡＮ等を介して接続された他の機器側に上記記憶媒体３８を備えた記憶装置３７を設け、この記憶媒体３８に記憶されているプログラム、データを通信回線を介して使用する構成にしてもよい。
【００６１】
次に、本実施の形態の動作を説明する。
【００６２】
まず、上記図２の画像データ処理装置１により実行されるイメージデータ処理及び上記図３のサーバー２０により実行されるイメージデータ授受／蓄積処理について図５に示すフローチャートに基づいて説明する。
【００６３】
まず、画像データ処理装置１では、イメージリーダー５の原稿台にセットされた原稿の原稿画像が、ユーザーにより入力装置３から指示された読み取り範囲及び拡大／縮小倍率に基づいて原稿走査機構により走査されて原稿イメージデータが読み込まれると（ステップＰ１）、その読み込まれた原稿イメージデータをＲＡＭ４に一旦格納して、イメージ編集処理を開始する（ステップＰ２）。
【００６４】
このイメージ編集処理について図６、図７に示すフローチャートに基づいて説明する。
【００６５】
まず、イメージ編集処理に対して、ユーザーにより入力装置３からキー入力される指示内容を解析し（ステップＰ２０１、Ｐ２０２）、その指示内容が“角度付拡大／縮小”である場合は、ＲＡＭ４に格納した原稿イメージデータを表示装置６に表示して編集対象とするイメージデータを指定させ、指定された編集対象のイメージデータをＲＡＭ４から読み出す（ステップＰ２０３）。次いで、編集を行うための基本台紙イメージを記憶装置８から読み出して、表示装置６に表示する（ステップＰ２０４）。例えば、図８に示すように、縦が明細最低行印字長（５行分：５６ｍｍ：４４８ドット）で横が印字可能用紙範囲（１６ｍｍ：１２８ドット）に設定された“基本台紙”が、上記編集対象イメージデータを編集するための基本台紙イメージとする。但し、８ドット／ｍｍとする。
【００６６】
そして、図９に示すように、編集対象イメージデータ枠の左下角を基点とし、図１０（ａ）に示すように表示装置６に表示して、この基点が基本台紙の枠からはみ出さないように１５゜傾斜させてＲＡＭ４の作成データメモリ４ｂ上で合成する（ステップＰ２０５）。この合成の結果、編集対象イメージデータが基本台紙の枠内に納まっているか否かを判別する（ステップＰ２０６）。同図（ｂ）に示すように、基本台紙の枠内に編集対象イメージデータが納まっていれば、編集対象イメージデータ枠の右上角が基本台紙枠の上辺に接するまでＲＡＭ４の作成データメモリ４ｂ上で拡大する（ステップＰ２０７）。また、同図（ｃ）に示すように、基本台紙の枠内に編集対象イメージデータが納まっていなければ、編集対象イメージデータ枠の右上角が基本台紙枠の上辺に接するまでＲＡＭ４の作成データメモリ４ｂ上で縮小する（ステップＰ２０８）。
【００６７】
そして、ＲＡＭ４の作成データメモリ４ｂ上で合成されたイメージデータを外部の記憶装置８に記憶させて（ステップＰ２１５）、図６の次の処理であるステップＰ３に移行して、イメージ編集内容を確定するか否かを、入力装置３におけるユーザーの確定キーの操作により判別する。確定しない場合は、再度イメージ編集処理に戻る。
【００６８】
また、ステップＰ２０２のキー入力指示内容の解析処理において、その指示内容が“均等割付処理”である場合は、繰返し列数ｎをユーザーにより指定させる（ステップＰ２０９）。ユーザーにより指定された繰返し列数ｎが奇数、例えば、ｎ＝３の場合は、次いで、ステップＰ２０８までに基本台紙に合成された編集イメージデータをユーザーにより指定させ、指定された編集イメージデータを記憶装置８から読み出す（ステップＰ２１０）。次いで、図８に示した基本台紙イメージを読み出して表示装置６に表示する（ステップＰ２１１）。
【００６９】
そして、ステップＰ２０９で指定された繰返し列数ｎ＝３に応じた基本台紙イメージを、記憶装置８から読み出した基本台紙イメージにより、図１１に示すように作成して表示する（ステップＰ２１２）。図１１に示す繰返し列数ｎ＝３に応じて作成した基本台紙イメージでは、図８に示した基本台紙イメージ内に３列の挿入領域が、上下余白：１６ドット固定、データ間：１６ドット固定とし、縦９６ドット×横１２８ドットとした均等割付で形成されている。
【００７０】
また、繰返し列数ｎが偶数列（ｎ＝２，４，・・・）の場合は、その偶数列に応じた基本台紙イメージが、図示しないが、同様に基本台紙内に指定偶数列分の挿入領域が均等に割付けられて作成されて表示装置６に表示される。
【００７１】
次いで、その挿入領域内での繰返し列数ｎ＝３に応じて編集イメージデータを合成するための比率を計算する。この場合、挿入領域の縦：９６ドットを３で割った３６．６が算出される。この比率３６．６でステップＰ２１０で読み出した編集イメージデータの図１１の各挿入領域に対する合成を開始する（ステップＰ２１３）。
【００７２】
そして、繰返し列数ｎ＝３のうち奇数列の挿入領域では左上角を始点として、ステップＰ２１３で計算した比率により縦：３６．６ドット×横１２８ドットとして、図１２に示すように編集イメージデータを挿入領域の上側に位置するようにＲＡＭ４の作成データメモリ４ｂに展開するとともに、繰返し列数ｎ＝３のうち偶数列の挿入領域では右下角を終点として始点を求め、その計算した比率により縦：３６．６ドット×横１２８ドットとして、図１２に示すように編集イメージデータを挿入領域の下側に位置するようにＲＡＭ４の作成データメモリ４ｂに展開する（ステップＰ２１４）。
【００７３】
また、図示しないが、繰返し列数ｎが偶数の場合も同様に、その奇数列の挿入領域では指定偶数で計算した比率で上側に位置するように作成データメモリ４ｂに展開されるとともに、その偶数列の挿入領域では指定偶数で計算した比率で下側に位置するように作成データメモリ４ｂに展開される。
【００７４】
次いで、ステップＰ２１４でＲＡＭ４の作成データメモリ４ｂに展開されたイメージデータの各座標データを外部の記憶装置８に管理テーブルとして格納する（ステップＰ２１５）。次いで、図５の次の処理であるステップＰ３に移行して、イメージ編集内容を確定するか否かを、入力装置３におけるユーザーの確定キーの操作により判別する。確定されない場合は、再度イメージ編集処理に戻る。
【００７５】
また、ステップＰ２０２のキー入力指示内容の解析処理において、その指示内容が“編集処理”である場合は、編集イメージデータをユーザーにより指定させ、指定された編集イメージデータを記憶装置８から読み出すとともに（ステップＰ２１６）、ステップＰ２１５で記憶装置８に格納した管理テーブルを指定して読み込む（ステップＰ２１７）。
【００７６】
次いで、その読み込んだ管理テーブルに設定されているステップＰ２１４でＲＡＭ４の作成データメモリ４ｂに展開されたイメージデータの各座標データに基づいて、そのステップＰ２１４で繰返し列数により編集イメージデータが均等割付されて展開されたイメージデータを、ＲＡＭ４の作成データメモリ４ｂ上で図８に示した基本台紙の明細最低行印字長に基づく行単位（１アイテムだけの登録で必要となる行数であり、１アイテムデータ、小計、預り金額を印字する行数）で、表示装置６の表示画面範囲内に入る数だけ繰返しコピーして表示する（ステップＰ２１８）。
【００７７】
すなわち、図１２において、基本台紙イメージ内で繰返し列数ｎ＝３で編集イメージデータが展開されたイメージデータを１行として、図１３（ａ）に示す表示画面範囲内では３回繰り返しコピーされて表示されている。
【００７８】
そして、この表示画面範囲内において、入力装置３におけるユーザーのカーソル操作により拡大あるいは縮小が指示されると（ステップＰ２１９）、その指定に応じてＲＡＭ４の作成データメモリ４ｂ上で拡大処理（図１３（ｂ）参照）して、ＰＯＰイメージデータとして表示し（ステップＰ２２１）、あるいは作成データメモリ４ｂ上で縮小処理して、ＰＯＰイメージデータとして表示して（ステップＰ２２２）、その編集内容を確定するか否かを、入力装置３におけるユーザーの確定キーの操作により判別する（ステップＰ２２３）。確定されない場合は、ステップＰ２１９に戻って拡大／縮小処理の判別処理に戻る。確定された場合は、作成データメモリ４ｂ上で拡大／縮小処理により展開したＰＯＰイメージデータの各座標データを外部の記憶装置８に管理テーブルとして格納する（ステップＰ２１５）。
【００７９】
次いで、図５の次の処理であるステップＰ３に移行して、イメージ編集内容を確定するか否かを、入力装置３におけるユーザーの確定キーの操作により判別する。確定されない場合は、再度イメージ編集処理に戻り、確定された場合は、そのＰＯＰイメージデータと対応付けてＰＯＳ端末装置３０ａ、３０ｂの各ＰＯＳ端末Ｎｏ．：ＰＯＳ１、ＰＯＳ２及び有効期限日時を付加して、両データを記憶装置８に記憶する（ステップＰ４）。そして、この記憶された両データをＬＡＮを介してサーバー２０に送信した後、その両データをクリアして、本イメージデータ処理を終了する。
【００８０】
以上のように、画像データ処理装置１では、ＰＯＳ端末装置３０ａ、３０ｂにおいてレシートに印字されるＰＯＰイメージデータを任意に一括して作成することができ、ＰＯＳ端末装置３０ａ、３０ｂにおけるＰＯＰイメージデータの作成の手間を省略することができる。
【００８１】
次に、図３のサーバー２０によるイメージデータ授受／蓄積処理について図５に示すフローチャートに基づいて説明する。
【００８２】
サーバー２０では、ＬＡＮを介して画像データ処理装置１から送信されるＰＯＰイメージデータの受信待ち状態にあり、ＬＡＮを介して画像データ処理装置１からＰＯＰイメージデータと対応付けられたＰＯＳ端末Ｎｏ．及び有効期限日時を受信すると（ステップＳ１）、そのＰＯＰイメージデータとＰＯＳ端末Ｎｏ．及び有効期限日時を対応付けて記憶装置２６に記憶する（ステップＳ２）。
【００８３】
次いで、ＬＡＮを介してＰＯＳ端末装置３０ａ、３０ｂから送信されるＰＯＰイメージデータの送信要求の受信待ち状態に移行し（ステップＳ３）、ＰＯＰイメージデータの送信要求を受信しない場合は、ステップＳ１の画像データ処理装置１からのＰＯＰイメージデータの受信待ち状態に戻る。ＰＯＰイメージデータの送信要求を受信した場合は、そのＰＯＳ端末装置３０ａ、３０ｂからの送信要求に応じたＰＯＰイメージデータが、そのＰＯＳ端末Ｎｏ．と対応付けられて記憶装置２６に記憶されているか否かを確認する（ステップＳ４）。
【００８４】
送信要求に応じたＰＯＰイメージデータが、そのＰＯＳ端末Ｎｏ．と対応付けられて記憶装置２６に記憶されていない場合は、ステップＳ１の画像データ処理装置１からのＰＯＰイメージデータの受信待ち状態に戻り、送信要求に応じたＰＯＰイメージデータが、そのＰＯＳ端末Ｎｏ．と対応付けられて記憶装置２６に記憶されている場合は、対応するＰＯＰイメージデータの全てを有効期限日時と共に、送信要求があったＰＯＳ端末装置３０ａ、３０ｂに送信して、ステップＳ１の画像データ処理装置１からのＰＯＰイメージデータの受信待ち状態に戻る。
【００８５】
以上のように、サーバー２０では、画像データ処理装置１で作成されたＰＯＰイメージデータを受信して蓄積する受信／蓄積処理と、ＰＯＳ端末装置３０ａ、３０ｂからの送信要求に応じて蓄積したＰＯＰイメージデータを送信する送信処理と、が繰返し実行される。このため、ＰＯＳ端末装置３０ａ、３０ｂでは、その都度必要なＰＯＰイメージデータだけをサーバー２０に要求して受信して格納しておけばよくなり、ＰＯＰイメージデータを格納するためのメモリ容量を最小限に設定することができる。
【００８６】
次に、図４のＰＯＳ端末装置３０ａ、３０ｂによるＰＯＳ端末制御処理について図１４に示すフローチャートに基づいて説明する。
【００８７】
ＰＯＳ端末装置３０ａ、３０ｂでは、ユーザーにより入力装置３２からキー入力される指示内容を解析し（ステップＴ１、Ｔ２）、その指示内容が“イメージ取込”である場合は、自己の端末Ｎｏ．：ＰＯＳ１、ＰＯＳ２と共にＰＯＰイメージ送信要求信号をＬＡＮを介してサーバー２０に送信する（ステップＴ３）。このＰＯＰイメージ送信要求に対するサーバー２０からのＰＯＰイメージデータの受信の有無を判別し（ステップＴ４）、サーバー２０から自己のＰＯＳ端末Ｎｏ．で蓄積された全ＰＯＰイメージデータを有効期限日時と共に受信した場合は、その受信した全ＰＯＰイメージデータを表示装置３５に表示する（ステップＴ５）。そして、この表示した全ＰＯＰイメージデータの中から所望のＰＯＰイメージデータをユーザーにより選択させる（ステップＴ６）。
【００８８】
ユーザーによりＰＯＰイメージデータが選択されると、この選択されたＰＯＰイメージデータと同種の有効期限切れのＰＯＰイメージデータがＲＡＭ３３内のＰＯＰイメージファイル３３ａに記憶されているか否かを判別する（ステップＴ７）。選択されたＰＯＰイメージデータの同様の有効期限切れのＰＯＰイメージデータが有る場合は、その記憶されている有効期限切れのＰＯＰイメージデータに選択されたＰＯＰイメージデータを上書きして現在日時と共にＰＯＰイメージファイル３３ａに記憶する（ステップＴ８）。また、選択されたＰＯＰイメージデータの同種の有効期限切れのＰＯＰイメージデータが無い場合は、その選択されたＰＯＰイメージデータを有効期限日時及び現在日時と共にＰＯＰイメージファイル３３ａに記憶して（ステップＴ９）、ステップＴ１のキー入力有無の判別処理に戻る。
【００８９】
また、ステップＴ４において、送信要求に対してサーバー２０からのＰＯＰイメージデータの受信が無い場合は、サーバー２０には自己ＰＯＳ端末Ｎｏ．のＰＯＰイメージデータが蓄積されていない旨のガイダンスを表示装置３５に表示して（ステップＴ１０）、ステップＴ１のキー入力有無の判別処理に戻る。
【００９０】
また、ユーザーにより入力装置３２からキー入力される指示内容を解析し（ステップＴ１、Ｔ２）、その指示内容が“イメージ消去”である場合は、ＲＡＭ３３内のＰＯＰイメージファイル３３ａに記憶した全てのＰＯＰイメージファイルを表示装置３５に表示し（ステップＴ１１）、消去するＰＯＰイメージデータをユーザーにより選択させる（ステップＴ１２）。ユーザーにより消去するＰＯＰイメージデータが選択されると、その選択されたＰＯＰイメージデータを有効期限日時と共にＰＯＰイメージファイル３３ａから消去して（ステップＴ１３）、ステップＴ１のキー入力有無の判別処理に戻る。
【００９１】
また、ユーザーにより入力装置３２からキー入力される指示内容を解析し（ステップＴ１、Ｔ２）、その指示内容が“登録”である場合は、取引処理でＲＡＭ３３内のＰＬＵファイル３３ｂの各合計器に格納された売上データを演算する（ステップＴ１４）。次いで、その演算結果を表示装置３５に表示して、印字装置３６によりレシートに印字するが（ステップＴ１５）、上記ステップＴ３〜ステップＴ９のイメージ取込処理でＲＡＭ３３内のＰＯＰイメージファイル３３ａにレシートに背景として印字されるべきＰＯＰイメージデータが記憶されている場合は、その背景とするＰＯＰイメージデータの切出し処理が行われる。
【００９２】
このＰＯＰイメージデータの切出し処理では、まず、ＰＯＰイメージファイル３３ａにレシートに背景として印字されるべきＰＯＰイメージデータ、すなわち、上記画像データ処理装置１によるイメージ編集処理において、レシート明細印字最低行数分で割り付けられた基本台紙のイメージデータの管理テーブルが記憶装置３７から読み出され、図１５に示すように、縦３８４ドット×横４４８ドットのレシートイメージとして３回繰り返して表示装置３５に表示される。そして、ユーザーは、この表示されたレシートイメージから背景パターンの切出し部分を、入力装置３２におけるカーソルキー操作等で切出し位置を調整し、例えば、図中の斜線で示す部分を背景パターン切出し位置として決定したとすると、この背景パターンデータがＰＯＰイメージファイル３３ａに記憶される。
【００９３】
そして、このＰＯＰイメージファイル３３ａに記憶された背景パターンデータのレシート内の印字位置が、上記演算結果とともに印字装置３６でレシートに印字される際には、その背景パターンデータがレシートの中で比較的に余白が多くなる中心部分の画像が最初に印字されるように自動的に決定される。この背景パターンにはマスクがかけられて、レシートには演算結果の印字濃度に比べて印字濃度が薄く印字される。このステップＴ１５におけるレシートの表示及び印字処理を終了すると、ステップＴ１のキー入力有無の判別処理に戻る。
【００９４】
これらの背景パターンの印字位置の自動調整及びマスクかけは、レシートへの背景印字によって取引明細の印字内容が見にくくならないようにするための処理である。但し、最初から切出し部分に合った背景パターンの原稿イメージを読み取ってＰＯＰイメージファイル３３ａに記憶している場合は、上記切出し処理は不用となる。
【００９５】
そして、ユーザーにより入力装置３２からキー入力される指示内容を解析し（ステップＴ１、Ｔ２）、その指示内容が“締め”である場合は、その取引に関する締め処理を行って（ステップＴ１６）、レシートへのＰＯＰイメージデータの印字処理を実行する（ステップＴ１７）。
【００９６】
このＰＯＰイメージデータの印字処理について、図１６〜図３０のフローチャート及び印字例に基づいて説明する。
【００９７】
図１６において、まず、ストアカードによる締めか否かを判別する（ステップＴ１７０１）。このストアカードとは、例えば、クレジットカードである。ストアカードによる締めである場合は、ＲＡＭ３３内の顧客別ファイル３３ｂに当該顧客の顧客Ｎｏ．が登録されているか否かを確認する（ステップＴ１７０２）。顧客Ｎｏ．が登録されていない場合は、図１９以降のイメージデータ印字処理に移行し、顧客Ｎｏ．が登録されている場合は、ＲＡＭ３３内のＰＯＰイメージファイル３３ａから取引種別ＰＯＰ１イメージデータを読み出し（ステップＴ１７０３）、その読み出した取引種別ＰＯＰ１イメージデータを、例えば、図１７に示すように、レシートの取引明細の下にカード会員に応じたＰＯＰイメージを印字する（ステップＴ１７０４）。
【００９８】
また、ステップＴ１７０１においてストアカードによる締めでない場合は、現金による締めであるか否かを判別する（ステップＴ１７０５）。現金による締めでない場合は、図１９以降のイメージデータ印字処理に移行し、現金による締めである場合は、ＲＡＭ３３内のＰＯＰイメージファイル３３ａから取引種別ＰＯＰ２イメージデータを読み出し（ステップＴ１７０６）、その読み出した取引種別ＰＯＰ２イメージデータを、例えば、図１８に示すように、レシートの取引明細の下にバーゲンに関するＰＯＰを印字する（ステップＴ１７０７）。
【００９９】
この取引種別に応じたＰＯＰイメージデータは、上記ステップＴ３〜ステップＴ９のイメージ取込処理によりサーバー２０から受信してＲＡＭ３３内のＰＯＰイメージファイル３３ａに記憶したものである。したがって、ＰＯＳ端末装置３０ａ、３０ｂでは、この取引種別に応じたＰＯＰイメージをレシートに印字させる際には、その取引種別に応じたＰＯＰイメージを作成する手間を省略することができる。
【０１００】
次いで、図１９に移行して、現在時刻が５：００ＰＭ以前か否かを判別し（ステップＴ１７０８）、現在時刻が５：００ＰＭ以前でない場合は、図２０に示すように、ＰＯＰイメージデータの印字はスキップして取引明細のみをレシートに印字して、図２２以降のイメージデータ印字処理に移行し、現在時刻が５：００ＰＭ以前である場合は、ＲＡＭ３３内のＰＯＰイメージファイル３３ａから時間帯ＰＯＰ１イメージデータを読み出し（ステップＴ１７０９）、その読み出した時間帯ＰＯＰ１イメージデータを、例えば、図２１に示すように、レシートの取引明細の下に５時以降のサービスに関するＰＯＰイメージを印字して（ステップＴ１７１０）、図２２以降のイメージデータ印字処理に移行する。
【０１０１】
この時間帯に応じたＰＯＰイメージデータは、上記ステップＴ３〜ステップＴ９のイメージ取込処理によりサーバー２０から受信してＲＡＭ３３内のＰＯＰイメージファイル３３ａに記憶したものである。したがって、ＰＯＳ端末装置３０ａ、３０ｂでは、この時間帯に応じたＰＯＰイメージをレシートに印字させる際には、その時間帯に応じたＰＯＰイメージを作成する手間を省略することができる。
【０１０２】
次いで、図２２において、取引の際にオペレータのキー操作によって指定される取引した客の客層が客層１：成年か否かを判別する（ステップＴ１７１１）。取引した客の客層が客層１：成年である場合は、ＲＡＭ３３内のＰＯＰイメージファイル３３ａから客層ＰＯＰ１イメージデータを読み出し（ステップＴ１７１２）、その読み出した客層ＰＯＰ１イメージデータを、例えば、図２３に示すように、レシートの取引明細の下に成年に応じた広告のＰＯＰイメージを印字して（ステップＴ１７１３）、図２５以降のイメージデータ印字処理に移行する。
【０１０３】
また、ステップＴ１７１１において取引した客層が客層１：成年でない場合は、客層が客層２：小中学生か否かを判別する（ステップＴ１７１４）。取引した客層が客層２：小中学生でない場合は、図２５以降のイメージデータ印字処理に移行し、取引した客層が客層２：小中学生である場合は、ＲＡＭ３３内のＰＯＰイメージファイル３３ａから客層ＰＯＰ２イメージデータを読み出し（ステップＴ１７１５）、その読み出した客層ＰＯＰ２イメージデータを、例えば、図２４に示すように、レシートの取引明細の下に小中学生に応じた広告のＰＯＰイメージを印字して（ステップＴ１７１６）、図２５以降のイメージデータ印字処理に移行する。
【０１０４】
この客層に応じたＰＯＰイメージデータは、上記ステップＴ３〜ステップＴ９のイメージ取込処理によりサーバー２０から受信してＲＡＭ３３内のＰＯＰイメージファイル３３ａに記憶したものである。したがって、ＰＯＳ端末装置３０ａ、３０ｂでは、この客層に応じたＰＯＰイメージをレシートに印字させる際には、その客層に応じたＰＯＰイメージを作成する手間を省略することができる。
【０１０５】
次いで、図２５において、現在曜日が木曜日か否かを判別する（ステップＴ１７１７）。現在の曜日が木曜日である場合は、ＲＡＭ３３内のＰＯＰイメージファイル３３ａから曜日別ＰＯＰ１イメージデータを読み出し（ステップＴ１７１８）、その読み出した曜日別ＰＯＰ１イメージデータを、例えば、図２６に示すように、レシートの取引明細の下に木曜日の催し物に応じたＰＯＰイメージを印字して（ステップＴ１７１９）、図２８以降のイメージデータ印字処理に移行する。
【０１０６】
また、ステップＴ１７１７において現在曜日が木曜日でない場合は、ＲＡＭ３３内のＰＯＰイメージファイル３３ａから曜日別ＰＯＰ２イメージデータを読み出し（ステップＴ１７２０）、その読み出した曜日別ＰＯＰ２イメージデータを、例えば、図２７に示すように、レシートの取引明細の下に木曜日以外の催し物に応じた広告のＰＯＰイメージを印字して（ステップＴ１７２１）、図２８以降のイメージデータ印字処理に移行する。
【０１０７】
この曜日に応じたＰＯＰイメージデータは、上記ステップＴ３〜ステップＴ９のイメージ取込処理によりサーバー２０から受信してＲＡＭ３３内のＰＯＰイメージファイル３３ａに記憶したものである。したがって、ＰＯＳ端末装置３０ａ、３０ｂでは、この曜日に応じたＰＯＰイメージをレシートに印字させる際には、その曜日に応じたＰＯＰイメージを作成する手間を省略することができる。
【０１０８】
次いで、図２８において、取引の際に商品属性１が登録された商品の取引の有無を確認する（ステップＴ１７２２）。商品属性１が登録された商品の取引が行われていない場合は、ＰＯＰイメージの印字はスキップしてステップＴ１７２５に移行してレシート発行処理を行って、本イメージデータ印字処理を終了する。また、商品属性１が登録された商品の取引が行われていた場合は、ＲＡＭ３３内のＰＯＰイメージファイル３３ａから商品属性ＰＯＰ１イメージデータを読み出し（ステップＴ１７２３）、その読み出した商品属性ＰＯＰ１イメージデータを、例えば、図２９に示すように、レシートの取引明細の下に商品属性１の商品購入者に応じたＰＯＰイメージを印字する（ステップＴ１７２４）。
【０１０９】
また、商品属性１としてインターネットアドレスを設定しておいて、例えば、図３０に示すように、レシートの取引明細の下に商品属性１の商品購入者に応じたＰＯＰイメージを印字するとともに、このＰＯＰイメージの下にインターネットアドレスを印字するようにしてもよい。
【０１１０】
そして、レシート発行処理を行って（ステップＴ１７２５）、本イメージデータ印字処理を終了する。次いで、以上のイメージデータ印字処理により図１４のステップＴ１７のイメージデータ印字処理を終了して、ステップＴ１のキー入力有無の判別処理に戻る。
【０１１１】
この商品属性に応じたＰＯＰイメージデータは、上記ステップＴ３〜ステップＴ９のイメージ取込処理によりサーバー２０から受信してＲＡＭ３３内のＰＯＰイメージファイル３３ａに記憶したものである。したがって、ＰＯＳ端末装置３０ａ、３０ｂでは、この商品属性に応じたＰＯＰイメージをレシートに印字させる際には、その商品属性に応じたＰＯＰイメージを作成する手間を省略することができる。
【０１１２】
以上がＰＯＳ端末装置３０ａ、３０ｂにおけるＰＯＳ端末制御処理であり、レシートに印字するＰＯＰイメージデータを、画像データ処理装置１で一括して作成されてサーバー２０に蓄積されたものから受信するようにしたため、ＰＯＳ端末装置３０ａ、３０ｂでは、ＰＯＰイメージデータを作成する手間を省略することができ、ＰＯＳ端末装置３０ａ、３０ｂを操作するオペレータの作業負担を軽減して作業効率を向上させることができる。
【０１１３】
また、ＰＯＳ端末装置３０ａ、３０ｂでは、取引処理に必要なＰＯＰイメージだけをＲＡＭ３３内のＰＯＰイメージファイル３３ａに格納し、有効期限日時が過ぎたＰＯＰイメージデータは、サーバー２０から新たに受信した同様のＰＯＰイメージデータにより上書きされるため、そのＲＡＭ３３内のＰＯＰイメージファイル３３ａのメモリ容量を必要以上に備える必要がなくなり、メモリの効率的な利用を図ることができる。
【０１１４】
なお、上記実施の形態によるＰＯＳシステムでは、２台のＰＯＳ端末装置３０ａ、３０ｂで１台の画像データ処理装置１を共有する場合を示したが、３台以上もっと多くのＰＯＳ端末装置によって画像データ処理装置１を共有するようにしてもよいことは勿論であり、各装置間の接続形態はＬＡＮに限らず、例えば、ＷＡＮや公共の通信回線を利用したものであってもよい。
【０１１５】
また、上記実施の形態では、２台のＰＯＳ端末装置３０ａ、３０ｂが、ＬＡＮを介して画像データ処理装置１とサーバー２０を共有して、レシートに印字する各種ＰＯＰイメージを画像データ処理装置１で一括して作成し、その作成した各種ＰＯＰイメージをサーバー２０にＰＯＳ端末装置毎に蓄積し、ＰＯＳ端末装置３０ａ、３０ｂでは、イメージデータ印字処理に際して、取引種別、時間帯、客層、曜日あるいは商品属性等のパラメータに基づく各種ＰＯＰイメージデータをレシートに印字する場合を示したが、レシートに印字するＰＯＰイメージの他の利用形態としては、例えば、買物に来た客の顔画像をＰＯＰイメージとしてレシートに印字するようなことも考えられる。
【０１１６】
この買物に来た客の顔画像をＰＯＰイメージとしてレシートに印字するＰＯＳ端末装置の形態を図３１に外観図として示す。
【０１１７】
図３１において、ＰＯＳ端末装置５０にはカウンタ６０の前に立つ客Ａの顔を撮影するためのデジタルカメラ７０が取り付けられている。このＰＯＳ端末装置５０内部の要部構成は、上記実施の形態の図４（ａ）に示したＰＯＳ端末装置３０ａ、３０ｂにデジタルカメラ７０のブロックを追加した形態になるが、その構成の図示及び説明は省略する。
【０１１８】
このＰＯＳ端末装置５０において、デジタルカメラ７０による撮影及び撮影画像のレシートへの印字は、オペレータＢがＰＯＳ端末装置５０において取引操作をする際に、登録操作で自動的に撮影が行われ、締め操作でその撮影画像がレシートに自動的に印字されるものとする。
【０１１９】
このＰＯＳ端末装置５０における取引処理について図３２に示すフローチャートに基づいて説明する。
【０１２０】
まず、ユーザーにより入力装置３２からキー入力される指示内容を解析し（ステップＴ２１、Ｔ２２）、その指示内容が“登録”である場合は、その一取引処理が最初であるか否かを判別する（ステップＴ２３）。その一取引処理が最初でない場合はステップＴ２５の登録処理に移行し、その一取引処理が最初である場合は、デジタルカメラ７０により客Ａの顔を撮影して、その顔画像をＲＡＭ３３内のＰＯＰイメージファイル３３ａに格納し（ステップＴ２４）、その一取引処理でＲＡＭ３３内のＰＬＵファイル３３ｂの各合計器に格納された売上データを演算して登録する登録処理を実行して（ステップＴ２５）、ステップＴ２１のキー入力有無の判別処理に戻る。
【０１２１】
また、ユーザーにより入力装置３２からキー入力される指示内容を解析し（ステップＴ２１、Ｔ２２）、その指示内容が“締め”である場合は、その取引に関する締め処理を行って（ステップＴ２６）、レシートへの締めデータの印字を行う（ステップＴ２７）。次いで、登録処理に際して撮影された最新の客の顔画像をＲＡＭ３３内のＰＯＰイメージファイル３３ａから読み出し（ステップＴ２８）、ステップＴ２７で締めデータを印字したレシートにおいて、その締めデータの後に読み出した最新の顔画像を印字して（ステップＴ２９）、ステップＴ２１のキー入力有無の判別処理に戻る。
【０１２２】
以上のように、ＰＯＳ端末装置５０では、デジタルカメラ７０により買物に来た客の顔を取引の登録処理に際して撮影し、その客の取引の締め処理で取引明細を印字したレシートに撮影した顔画像を印字して発行するようにしたため、自分の顔画像入のレシートを買物客に渡すことで、レシートの有効利用を図ることができ、サービスの充実を図ることができる。
【０１２３】
また、この場合、デジタルカメラ７０により撮影する被写体としては、客の顔だけでなく、上記実施の形態で示した取引種別、客層あるいは商品属性等の各種パラメータに応じた画像を撮影し、この撮影画像をＰＯＰイメージデータとしてＲＡＭ３３内のＰＯＰイメージファイル３３ａに記憶し、この記憶したＰＯＰイメージデータをレシートに印字することにより、デジタルカメラ７０を簡便な画像取込デバイスとして利用することも可能である。
【０１２６】
【発明の効果】
請求項１記載の発明のデータ処理装置によれば、画像処理装置で作成されたイメージデータを複数の端末装置で共有でき、また、画像処理装置では端末装置毎にイメージデータを作成して各端末装置に対して伝送することができ、また、端末装置では必要なイメージデータだけを記憶して入力データの印字の際に利用することができ、さらにイメージデータを有効期限が切れているイメージデータに替えて記憶する。その結果、例えば、ＰＯＳシステムにおいて複数のＰＯＳ端末装置が個々にレシートに印字するＰＯＰイメージを作成する手間を省略することができ、オペレータの作業負担を低減することができて、しかも常に新しいイメージデータを得ることができる。また、画像処理装置から取引種別に応じたイメージデータを受信して記憶し、この取引種別に応じたイメージデータを入力データと共にレシート用紙に印字することができ、端末装置において取引種別に応じたイメージデータを作成する手間を省略することができる。
【０１２７】
請求項２記載の発明のデータ処理装置によれば、画像処理装置で作成されたイメージデータを蓄積装置に蓄積して複数の端末装置で共有でき、また、画像処理装置では端末装置毎にイメージデータを作成して蓄積装置を介して各端末装置に対して伝送することができ、また、端末装置では必要なイメージデータだけを蓄積装置から受信して記憶して入力データの印字の際に利用することができ、さらにイメージデータを有効期限が切れているイメージデータに替えて記憶する。その結果、例えば、ＰＯＳシステムにおいて通信網を介して接続された複数のＰＯＳ端末装置が、ＰＯＰイメージデータを記憶するメモリ容量を低減してシステムコストを低減できるとともに、個々にレシート用紙に印字するＰＯＰイメージを作成する手間を省略することができ、ＰＯＳ端末装置におけるオペレータの作業負担を低減することができて、しかも常に新しいイメージデータを得ることができる。また、蓄積装置から取引種別に応じたイメージデータを受信して記憶し、この取引種別に応じたイメージデータを入力データと共にレシート用紙に印字することができ、端末装置において取引種別に応じたイメージデータを作成する手間を省略することができる。
【０１２９】
請求項３記載の発明のデータ処理装置によれば、画像処理装置あるいは蓄積装置から時間帯に応じたイメージデータを受信して記憶し、この時間帯に応じたイメージデータを入力データと共にレシート用紙に印字することができ、端末装置において時間帯に応じたイメージデータを作成する手間を省略することができる。
【０１３０】
請求項４記載の発明のデータ処理装置によれば、画像処理装置あるいは蓄積装置から客層に応じたイメージデータを受信して記憶し、この客層に応じたイメージデータを入力データと共にレシート用紙に印字することができ、端末装置において客層に応じたイメージデータを作成する手間を省略することができる。
【０１３１】
請求項５記載の発明のデータ処理装置によれば、画像処理装置あるいは蓄積装置から曜日に応じたイメージデータを受信して記憶し、この曜日に応じたイメージデータを入力データと共にレシート用紙に印字することができ、端末装置において曜日に応じたイメージデータを作成する手間を省略することができる。
【０１３２】
請求項６記載の発明のデータ処理装置によれば、画像処理装置あるいは蓄積装置から商品属性に応じたイメージデータを受信して記憶し、この商品属性に応じたイメージデータを入力データと共にレシート用紙に印字することができ、端末装置において商品属性に応じたイメージデータを作成する手間を省略することができる。
【図面の簡単な説明】
【図１】本発明のデータ処理装置を適用した一実施の形態のＰＯＳシステムのシステム構成を示す図。
【図２】図１の画像データ処理装置１の要部構成を示すブロック図。
【図３】図１のサーバー２０の要部構成を示すブロック図。
【図４】（ａ）は図１のＰＯＳ端末装置の要部構成を示すブロック図、（ｂ）は（ａ）のＲＡＭ３３内のメモリ構成を示す図。
【図５】図２の画像データ処理装置１により実行されるイメージデータ処理のフローチャート及び図３のサーバー２０により実行されるイメージデータ授受／蓄積処理のフローチャート。
【図６】図５のイメージ編集処理のフローチャート。
【図７】図６に続くイメージ編集処理のフローチャート。
【図８】図６のイメージ編集処理において読み出される基本設定イメージデータの一例を示す図。
【図９】図６のイメージ編集処理において編集対象として指定された原稿イメージデータの一例を示す図。
【図１０】図６のイメージ編集処理において基本台紙に合成された編集イメージデータの一例を示す図。
【図１１】図６のイメージ編集処理において繰返し数ｎ＝３に応じて作成された基本台紙イメージを示す図。
【図１２】図６のイメージ編集処理において繰返し数ｎ＝３に応じて均等割付されたイメージデータを示す図。
【図１３】図７のイメージ編集処理において展開されたイメージデータが表示画面範囲内で編集処理される状態を示す図。
【図１４】図４のＰＯＳ端末装置３０により実行されるＰＯＳ端末制御処理のフローチャート。
【図１５】図１４の売上演算結果がレシートに印字される際に背景に印字される背景パターンの切出し状態を示す図。
【図１６】図１４のイメージデータ印字処理を示すフローチャート。
【図１７】図１６のイメージデータ印字処理において取引種別ＰＯＰ１に対応するＰＯＰイメージを印字したレシートの一例を示す図。
【図１８】図１６のイメージデータ印字処理において取引種別ＰＯＰ２に対応するＰＯＰイメージを印字したレシートの一例を示す図。
【図１９】図１６に続くイメージデータ印字処理を示すフローチャート。
【図２０】図１９のイメージデータ印字処理において時間帯ＰＯＰイメージをスキップして印字したレシートの一例を示す図。
【図２１】図１９のイメージデータ印字処理において時間帯ＰＯＰイメージを印字したレシートの一例を示す図。
【図２２】図１９に続くイメージデータ印字処理を示すフローチャート。
【図２３】図２２のイメージデータ印字処理において客層ＰＯＰ１イメージを印字したレシートの一例を示す図。
【図２４】図２２のイメージデータ印字処理において客層ＰＯＰ２イメージを印字したレシートの一例を示す図。
【図２５】図２２に続くイメージデータ印字処理を示すフローチャート。
【図２６】図２５のイメージデータ印字処理において曜日別ＰＯＰ１イメージを印字したレシートの一例を示す図。
【図２７】図２５のイメージデータ印字処理において曜日別ＰＯＰ２イメージを印字したレシートの一例を示す図。
【図２８】図２５に続くイメージデータ印字処理を示すフローチャート。
【図２９】図２８のイメージデータ印字処理において商品属性ＰＯＰ１イメージを印字したレシートの一例を示す図。
【図３０】図２８のイメージデータ印字処理においてインターネットアドレスが設定された商品属性ＰＯＰ１イメージを印字したレシートの一例を示す図。
【図３１】本発明のデータ処理装置を適用したその他の実施の形態のＰＯＳ端末装置５０の外観を示す図。
【図３２】図３１のＰＯＳ端末装置５０により実行されるＰＯＳ端末制御処理のフローチャート。
【図３３】従来のイメージスキャナが接続されたＥＣＲの一例を示す図。
【符号の説明】
１    画像データ処理装置
２、２１、３１    ＣＰＵ
３、２２、３２    入力装置
４、２３、３３    ＲＡＭ
４ａ  読み取りデータメモリ
４ｂ  作成データメモリ
５    イメージリーダー
６、２４、３５    表示装置
７、２５、３６    印字装置
８、２６、３７    記憶装置
９、２７、３８    記憶媒体
１０、２８、３９  バス
２０    サーバー
３０    ＰＯＳ端末装置
３３ａ  ＰＯＰイメージファイル
３３ｂ  顧客別ファイル
３３ｃ  ＰＬＵファイル
３４    ドロア
【図１】
0003738330.tif 000002
【図２】
0003738330.tif 000003
【図３】
0003738330.tif 000004
【図４】
0003738330.tif 000005
【図５】
0003738330.tif 000006
【図６】
0003738330.tif 000007
【図７】
0003738330.tif 000008
【図８】
0003738330.tif 000009
【図９】
0003738330.tif 000010
【図１０】
0003738330.tif 000011
【図１１】
0003738330.tif 000012
【図１２】
0003738330.tif 000013
【図１３】
0003738330.tif 000014
【図１４】
0003738330.tif 000015
【図１５】
0003738330.tif 000016
【図１６】
0003738330.tif 000017
【図１７】
0003738330.tif 000018
【図１８】
0003738330.tif 000019
【図１９】
0003738330.tif 000020
【図２０】
0003738330.tif 000021
【図２１】
0003738330.tif 000022
【図２２】
0003738330.tif 000023
【図２３】
0003738330.tif 000024
【図２４】
0003738330.tif 000025
【図２５】
0003738330.tif 000026
【図２６】
0003738330.tif 000027
【図２７】
0003738330.tif 000028
【図２８】
0003738330.tif 000029
【図２９】
0003738330.tif 000030
【図３０】
0003738330.tif 000031
【図３１】
0003738330.tif 000032
【図３２】
0003738330.tif 000033
【図３３】
0003738330.tif 000034